(57)【要約】【課題】耐久性と即応性を兼ね備えた防水板の落下防止装置に提供する。【解決手段】防水板の少なくとも一方の側部の縦面７ｂにおける下部に設けられた突起３０と、ガイドレール２のガイド溝内に取付けられるフック３３とを備える。通常操作による防水板の降下の際には、フック３３の当接部３３ｂに突起３０が当接してフック３３を回動させたのち、当接部３３ｂから突起３０が離れ、防水板１の摺動部７ａの下端部７ｃがフック３３の係止部３３ｄに係止される前に、フック３３の自重によりフック３３が原姿勢側に回動して非係止状態となる。防水板の落下の際には、当接部３３ｂから突起３０が離れた後、フック３３の自重によって原姿勢側に復帰する前に、摺動部７ａの下端部７ｃがフック３３の係止部３３ｄに達して防水板がフック３３により係止される。【選択図】図６
2015227570.tif 000002
【特許請求の範囲】
【請求項１】
左右のガイドレールに沿って上下動可能に装着された防水板の落下防止装置において、
防水板側に突起を設けると共に、ガイドレール側に係止体を変位可能に設け、
防水板の降下速度を規制しながら降下するときは前記係止体に前記突起が当接して係止体を変位させた状態から自重により元の姿勢に戻って防水板は非係止状態となり、
防水板が落下するときは前記係止体に前記突起が当接した姿勢のままで係止体の下側で防水板を係止する構成を有することを特徴とする防水板の落下防止装置。
【請求項２】
左右のガイドレールのガイド溝に、防水板の左右両側部を嵌合して防水板を上下動可能に装着し、通常時には防水板はワイヤロープにより支持されてガイドレールの上部に保持しておく防水板装置に設けられる防水板の落下防止装置において、
前記防水板の少なくとも一方の側部の縦面における下部に設けられた突起と、前記ガイドレールに回動可能に取付けられたフックとを備え、
前記フックは、その上部に前記突起に当接させる当接部を有すると共に、下部に、前記突起が前記当接部に当接して回動した状態では前記防水板の下に回り込んだ状態となる係止部を有し、
通常操作による防水板の降下の際には、前記当接部から前記突起が離れた後、フックの自重によりその係止部が前記防水板の下から退避するように回動して防水板に対してフックが非係止状態となり、
防水板の落下の際には、前記当接部から前記突起が離れた後、防水板の下端部がフックの前記係止部に達して防水板がフックにより係止される構成を有することを特徴とする防水板の落下防止装置。
【請求項３】
請求項２に記載の防水板の落下防止装置において、
前記防水板の上部の左右にそれぞれ防水板支持用のワイヤロープを掛ける滑車を設け、
前記ワイヤロープを巻取り繰出しするオペレータとして、前記ワイヤロープの繰出し部にワイヤロープを通す管体の一端を結合し、前記管体の他端を、一方のガイドレールの頂部に結合したものを用い、
前記左右の滑車に掛けたワイヤロープの先端を、前記管体を結合したガイドレールの反対側のガイドレールの頂部に、弾性部材を介して接続したことを特徴とする防水板の落下防止装置。
【発明の詳細な説明】
【技術分野】
【０００１】
本発明は、ゲリラ豪雨発生時に道路や敷地等から建物内に増水した水が浸入することを防止する防水板の落下防止装置に関わり、より詳しくは、防水板がガイドレールにワイヤロープにより上下動可能に支持され、通常時には防水板がガイドレールの上部に保持される構成において、ワイヤロープの切断等により防水板が落下することを防止する装置に関する。
【背景技術】
【０００２】
ゲリラ豪雨発生時に道路や敷地等に水が溢れると、道路や敷地等と同レベルに開口部の下端部を設けている建物においては、その開口部から水が建物内に浸入する。このような建物内への水の浸入を防止する防水板装置として、本出願人は、すでに特許文献１に記載の装置を提案している。この特許文献１に記載の防水板装置は、地中に防水板を埋没させておき、ゲリラ豪雨発生時に防水板
が自動で上昇し、水の建物等への浸入を防止する構成を有する。
【０００３】
例えばコンビニエンスストア等のように、水の浸入経路が限定される場合、簡易に施工可能な防水板装置としては、特許文献１に記載のように、通常時には地面の下に設置しておくのではなく、防水板がガイドレールにワイヤロープにより上下動可能に支持され、通常時には防水板がガイドレールの上部に保持される構成を採用することが考えられる。このような構成とする場合、防水板の落下を防止する手段として、特許文献２に記載のようなシャッターに適用される落下防止装置や、特許文献３に記載の落下防止装置を採用することが考えらえる。
【０００４】
特許文献２に記載の落下防止装置は、シャッターカーテンの通常操作時の降下時と、予期せぬワイヤロープの切断等によるシャッターカーテン落下時の速度の差を利用して、落下時におけるシャッターカーテンの落下を防止するものである。より具体的には、ガイドレールの室外側ガイド面に凹凸を設ける一方、室内側ガイド面にシャッターカーテンを止めるための開口部を設け、シャッターカーテンの左右端部に設ける座板に、上部を支軸とした作動体を室内外方向に回動可能に設け、その作動体の下部に室外側ガイド面の凹凸に接するローラを設け、ローラはねじりコイルばねにより常に室外側ガイド面に圧接するように構成している。そして、シャッターカーテンの落下時のように降下速度が速い場合には、ローラがガイドレールの室外側ガイド面の凸部に乗り上げて作動体が室内側に回動して作動体の一部が開口部に入ると、作動体が原姿勢に復帰する前にその下部が開口部に係止されてシャッターカーテンの落下が防止される。
【０００５】
特許文献３に記載の落下防止装置は、シャッターカーテンの両側にシャッターカーテンを支持するチェーンに連結するピンを等間隔に設け、ガイドレールには、ピンに当接して軸を中心に回動するピン受け片とこれと一体的に回動するストッパ片を設けている。そして、このストッパ片は通常時にピンと係合しない姿勢、すなわちピン受け片およびストッパ片を取付けた軸を中心として反対側に向けた姿勢としておく。そして、シャッターカーテンが通常の速度で降下すると、ピンがピン受け片に当接してピン受け片とストッパピン片は小さい角度でのみ回動してストッパ片は自重により原姿勢に戻るため、ストッパ片はピンとは係合しない。一方、シャッターカーテンの落下時には、ピン受け片がピンにより急激に下方に押されて回動されるため、この急激な回動によりストッパ片も次に降下してくるピンとの係合位置にまで回動し、その結果、ストッパ片に次に降下してくるピンが係止され、シャッターカーテンの落下が止まる構成を有している。
【先行技術文献】
【特許文献】
【０００６】
【特許文献１】特開２０１３−１５５５５３号公報
【特許文献２】特開平８−９３３６６号公報
【特許文献３】実開平４−１０８７９３号公報
【発明の概要】
【発明が解決しようとする課題】
【０００７】
しかしながら、特許文献２に記載の落下防止装置は、ねじりばねによって作動体の原姿勢への復帰を行なう構成であり、ねじりばねが劣化すれば所望の動作を行なえなくなるという問題点がある。
【０００８】
一方、特許文献３に記載の落下防止装置は、チェーンが切断した時にシャッターカーテンの加速を利用して落下防止用のストッパ片を反転させるように回動させる構成を有しているが、ストッパ片の回動角が大きいため、シャッターカーテンが停止するまでに時間がかかるという問題点がある。
【０００９】
本発明は、上記問題点に鑑み、耐久性と即応性を兼ね備えた防水板の落下防止装置に提供することを目的とする。
【課題を解決するための手段】
【００１０】
請求項１の防水板の落下防止装置は、
左右のガイドレールに沿って上下動可能に装着された防水板の落下防止装置において、
防水板側に突起を設けると共に、ガイドレール側に係止体を変位可能に設け、
防水板の降下速度を規制しながら降下するときは前記係止体に前記突起が当接して係止体を変位させた状態から自重により元の姿勢に戻って防水板は非係止状態となり、
防水板が落下するときは前記係止体に前記突起が当接した姿勢のままで係止体の下側で防水板を係止する構成を有することを特徴とする。
【００１１】
請求項２の防水板の落下防止装置は、
左右のガイドレールのガイド溝に、防水板の左右両側部を嵌合して防水板を上下動可能に装着し、通常時には防水板はワイヤロープにより支持されてガイドレールの上部に保持しておく防水板装置に設けられる防水板の落下防止装置において、
前記防水板の少なくとも一方の側部の縦面における下部に設けられた突起と、前記ガイドレールに回動可能に取付けられたフックとを備え、
前記フックは、その上部に前記突起に当接させる当接部を有すると共に、下部に、前記突起が前記当接部に当接して回動した状態では前記防水板の下に回り込んだ状態となる係止部を有し、
通常操作による防水板の降下の際には、前記当接部から前記突起が離れた後、フックの自重によりその係止部が前記防水板の下から退避するように回動して防水板に対してフックが非係止状態となり、
防水板の落下の際には、前記当接部から前記突起が離れた後、防水板の下端部がフックの前記係止部に達して防水板がフックにより係止される構成を有することを特徴とする。
【００１２】
請求項３の防水板の落下防止装置は、請求項２に記載の防水板の落下防止装置において、
前記防水板の上部の左右にそれぞれ防水板支持用のワイヤロープを掛ける滑車を設け、
前記ワイヤロープを巻取り繰出しするオペレータとして、前記ワイヤロープの繰出し部にワイヤロープを通す管体の一端を結合し、前記管体の他端を、一方のガイドレールの頂部に結合したものを用い、
前記左右の滑車に掛けたワイヤロープの先端を、前記管体を結合したガイドレールの反対側のガイドレールの頂部に、弾性部材を介して接続したことを特徴とする。
【発明の効果】
【００１３】
請求項１の発明は、防水板の降下速度を規制しながら降下するときは前記係止体に前記突起が当接して係止体を変位させた状態から自重により元の姿勢に戻って防水板は非係止状態となり、防水板が落下するときは前記係止体に突起が当接した姿勢のままで係止体の下側で防水板を係止するようにしたものである。
【００１４】
このように係止体の自重を利用して係止体を原位置に復帰させるため、ばねが不要となり、長期にわたり落下防止動作が確保される。また、特許文献３に記載のように、シャッターカーテン（降下対象物）の降下の加速度でストッパ片の回動角を変更するのではなく、通常降下と落下のいずれの場合も突起と係止体との当接の際に係止体の変位で行なわせることができるため、係止体の変位範囲を小さくすることができ、このため、防水板の落下の際に係止体が迅速に反応し、防水板の落下を開始してから停止するまでの上下幅を小さくすることができる。
【００１５】
請求項２の発明は、防水板側に突起に設け、ガイドレールのガイド溝内に回動可能にフックを設け、防水板の降下により防水板側に設けた突起がフックの上部の当接部に当接してフックを防水板係止側に回動させた後、フックの自重を利用してフックを原姿勢に復帰させる構成とし、通常操作の防水板の降下速度と、落下時の降下速度の差を利用して、降下速度が速い落下時のみフックの原姿勢への復帰が遅れて防水板の下端部に係止されるようにしたものである。
【００１６】
このように、本発明においては、フックの自重を利用してフックを原位置に復帰させるため、ばねが不要となり、長期にわたり落下防止動作が確保される。また、特許文献３に記載のように、シャッターカーテン（降下対象物）の降下の加速度でストッパ片の回動角を変更するのではなく、通常降下と落下のいずれの場合も突起とフックとの当接の際にフックの回動を同じ角度で行なわせているため、フックの回動角度そのものに変化を持たせる必要はなく、フックの回動範囲を小さくすることができ、このため、防水板の落下の際にフックが迅速に反応し、防水板の落下を開始してから停止するまでの上下幅を小さくすることができる。
【００１７】
請求項３の発明によれば、滑車に掛ける防水板支持用のワイヤロープの先端を弾性部材を介してガイドレール側に接続したので、ワイヤロープが緩んだ場合でも防水板の降下を防止することができる。このため、突起とフックとの上下間の距離を短く設定しておくことができ、防水板が落下する際の落下幅を小さく抑えることができ、即応性をさらに高めることができる。
【図面の簡単な説明】
【００１８】
【図１】本発明の落下防止装置を適用する防水板装置の一例を、防水板をガイドレールの上部に保持した状態で示す正面図である。
【図２】図１の防水板装置を、防水板をガイドレールの下端部に下ろし、床面に接地状態にあることを 示す正面図である。
【図３】図１の防水板装置を示す横断面図である。
【図４】図１の防水板装置の上部を拡大して示す正面図である。
【図５】本発明の落下防止装置の一実施の形態を示す平面図である。
【図６】図５のＥ−Ｅ断面図である。
【図７】本実施の形態の落下防止装置において、通常の防水板の降下の際の動作程を示す図である。
【図８】本実施の形態の落下防止装置において、防水板落下時の動作過程を示す
【図９】（Ａ），（Ｂ）は本発明において、防水板に設ける突起の他の例を示す図である。
【図１０】（Ａ），（Ｂ）は本発明において、ワイヤロープの先端のガイドレールに対する接続構造の他の例を、初期設定状態と、防水板を上端部に継続して保持下状態において、ワイヤロープの伸びを弾性部材が吸収して縮んだ状態とをそれぞれ示す図である。
【発明を実施するための形態】
【００１９】
図１は本発明を適用する防水板装置の一例を、防水板１をガイドレール２の上部に保持した状態で示す正面図、図２は防水板を床面に下ろした状態で示す正面図、図３は横断面図である。５は矩形をなす建物の開口部であり、左右のガイドレール２は、その上端を上枠３の両端に結合し、下端部を下枠４に結合してこの開口部５に設置される。図３に示すように、ガイドレール２は、釘やねじ等の固定具６により、ガイドレール２内に嵌合する断面コ字形の縦枠２ｘと共に躯体１５に固定する。 なお、図１は下枠４を使用しているが、必ずしも必要とはせず下枠無しで床面に直接防水板を接地させることも可能である。
【００２０】
本例の防水板１は、ゲリラ豪雨時に想定される水位以上の上下幅に設計されたものであり、左右の縦框７と上框８と下框９とで組まれた枠内にパネル１０を組み込んでなる。本実施の形態においては、防水板１の框７〜９や、ガイドレール２およびその上枠３、下枠４は金属製の押出形材でなる。ガイドレール２には、防水板１の両側部を上下動可能に嵌合するガイド溝２ａが形成され、各ガイド溝２ａに、防水板１の縦框７に左右に突出して形成した摺動部７ａが摺動可能に内嵌される。
【００２１】
図４の正面図に示すように、防水板１の縦框７には、防水板１の昇降の際にガイドレール２のガイド溝２ａ内で転動するローラ１１を設ける。後述のワイヤロープ１７による支持が無い状態では、防水板１がガイドレール２の下端部に至る前までは防水板１のほぼ自由落下が可能な状態で摺動部７ａがガイド溝２ａに嵌合される。
【００２２】
図３に示すように、ガイドレール２におけるガイド溝２ａ内の室外側の面の下部には、下側程室内側に突出したテーパー状のガイド面を有するスライド部材１２を設け、防水板１の摺動部７ａの室内側の面７ｂにはゴム等のシール材１３を固着する。このため、防水板１の下部がガイドレール２の下部に至ると、摺動部７ａがスライド部材１２にガイドされてシール材１３がガイドレール２の室内側部分２ｂに圧接される。また、図１、図４に示すように、防水板１の下框９の下面には、ゴム等のシール材１４が設けられており、防水板１がガイドレール２の下部まで降下した状態では、このシール材１４がガイドレール２の下枠４に圧接される。このため、防水板１の降下により、防水板１とガイドレール２との間の内外の水密性が保たれる。
【００２３】
図１、図２において、１６は防水板１を昇降させるためのワイヤロープ１７（図４参照）を巻取り、繰り出しするためのオペレータであり、公知のものである。このオペレータ１６は、ハンドル１８により回動される内蔵ドラムにワイヤロープ１７を巻いたものである。また、オペレータ１６内には、内蔵ドラムに連動するラチェット歯車と、これに噛合するラチェット爪を有し、オペレータ１６の外装部には、ラチェット爪を外すスイッチ（押釦スイッチ）１９を有する。そして、このスイッチ１９の操作によりラチェット爪をラチェット歯車から外すと、防水板１の自重により防水板１をガイドレール２に沿って降下させることができる。また、ハンドル１８の操作により、防水板１を降下あるいは巻上げることができる。
【００２４】
２１はオペレータ１６の内蔵ドラムから巻取り繰り出しされるワイヤロープ１７を通す管体である。この管体２１は、一端をオペレータ１６に結合し、他端を、図４に示すように、一方のガイドレール２の上端部の上枠３に結合具２２により結合する。図４において、２４，２５は防水板１の上端の左右に設けた滑車であり、管体２１から出たワイヤロープ１７は、結合具２２側の滑車２４と、他側の滑車２５に掛け、ワイヤロープ１７の先端を、他方のガイドレール２の上端部に結合具２６により結合して掛け回す。なお、本発明において、ガイドレール２の上端部とは、ガイドレール２そのものでもよく、ガイドレール２の上枠３であってもよい。
【００２５】
このような構成を有するため、オペレータ１６のスイッチ１９を操作してオペレータ１６に内蔵するラチェット爪をラチェット歯車から外すと、防水板１の自重により、オペレータ１６内のドラムからワイヤロープ１７が繰り出され、防水板１が降下する。オペレータ１６内にはブレーキ機構を備えている。そのブレーキ機構は、ドラムの回転速度が上がり、ドラムの外周部の遠心力が高まると制動力が高まる構成を有する。このため、ワイヤロープ１７の繰り出しによる防水板１の降下速度は所定の速度以下に制限される。
【００２６】
次にワイヤロープ１７の切断等により防水板１が落下しようとした場合、この落下を防止する落下防止装置について説明する。防水板１の左右の縦框７とガイドレール２との嵌合部のうち、少なくとも一方のガイドレール２と縦框７に、防水板１の落下防止装置を設ける。
【００２７】
図５は本実施の形態の落下防止装置の構成を示す平面図、図６は図５のＥ−Ｅ断面図である。３０は防水板１の少なくとも片側の摺動部７ａの縦面７ｂ（本例では室内側の面）における下部に設けられた突起である。この例ではこの突起３０は直方体状のブロックでなり、ねじ等の固定具３１により縦面７ｂに固定して取付けている。
【００２８】
３３はガイドレール２のガイド溝２ａ内に防水板１の係止体として取付けられたフックである。この例では、このフック３３は略くの字形をなし、ガイド溝２ａ内に設けた縦枠２ｘに取付けている。すなわち、フック３３には一体に円筒体３３ａを設け、縦枠２ｘに固定したねじからなる軸３４にこの円筒体３３ａを回動可能に嵌合してフック３３を軸支する。これにより、フック３３は、防水板１の縦面７ｂに対して上部および下部が近接、離反する方向に回動可能に取付けられる。
【００２９】
図６に示すように、フック３３は、その軸３４より支持された軸支部より上部に、防水板１の降下により突起３０が当接してフック３３を回動させる当接部３３ｂを有する。この例では、この当接部３３ａは弧状をなし、この当接部３３ｂは、防水板１の降下の際に、当接部３３ｂの頂部３３ｃよりやや下側に当接させるように突起３０との位置関係が設定されている。フック３３の下部には、防水板１の下端部である摺動部７ａの下端部７ｃを係止する係止部３３ｄを有する。
【００３０】
図１に示すように、防水板１がガイドレール２の上端部に保持された状態において、図６に示すように、フック３３の重心Ｇと軸３４との位置関係により、フック３３は、矢印３５に示すような方向、すなわちフック３３の下部の背面部３３ｅが、ガイドレール２の摺動部７ａの縦面７ｂとの対向面である縦枠２ｘの内面２ｙ側に回動するように付勢される。このため、本実施の形態においては、フック３３の下部の背面部３３ｅは、ガイドレール２側の縦枠２ｘの面２ｙに当接された原姿勢をとる。
【００３１】
この原姿勢においては、突起３０の下端部のフック側コーナー部３０ａは、フック３３の頂部３３ｃより当接部３３ｂ側に位置するように設定する。そして、突起３０は、防水板１の降下によりフック３３の当接部３３ｂに当接してフック３３の上部を防水板１から離す方向に、すなわち下方の係止部３３ｄを防水板１の下に回り込むように回動させる位置関係にある。
【００３２】
図７は通常操作による防水板１の降下の際における突起３０とフック３３との動作過程を説明する図である。ここで、通常操作による防水板１の降下とは、防水板１がワイヤロープ１７に支持されてハンドル１８の操作により低速度で降下するかあるいは自重により降下させることを意味する。図７（Ａ）は図１に示したように、防水板１がワイヤロープ１７により支持されてガイドレール２の上端部に保持された状態である。この状態では防水板１に設けた突起３０はフック３３の頂部より上にある。
【００３３】
この状態から図１に示したスイッチ１９を操作してドラムのロックを解除すると、防水板１の自重により、図７（Ａ），（Ｂ）に矢印３６，３７で示すように、防水板１はオペレータ１６により設定された制限速度で降下する。この降下により、図７（Ｂ）に示すように、突起３０がフックの当接部３３ｂに当接してフック３３を軸３４を中心として矢印３８に示すように回動させる。この回動により、フック３３の背面部３３ｅはガイドレール２側の面２ｙから離れ、フック３３の係止部３３ｄは防水板１の下端部である摺動部７ａの下端部７ｃの下に潜るように変位する。
【００３４】
その後、図７（Ｃ），（Ｄ）に示すように、防水板１がさらに矢印３９，４１に示すように降下し、突起３０が当接部３３ｂから離れると、フック３３は軸３４を中心として、矢印４０，４２に示すように係止部３３ｄが摺動部７ａの下から退避するように回動する。そして図７（Ｅ）に示すように、フック３３の背面部３３ｅがガイドレール２側の面２ｙに当接する。この状態では突起３０はフック３３の係止部３３ｄに係止されず、矢印４３に示すように防水板１が降下する。このため、防水板１が通常の速度で降下する際には、フック３３によって突起３０が係止されることはなく、防水板１の降下がフック３３によって阻止されることはない。
【００３５】
図８は防水板１が落下する際における突起３０とフック３３との動作過程を説明する図である。ここで、防水板１の落下とは、ワイヤロープ１７が切断するかもしくは、オペレータ１６などが破損しワイヤロープ１７による支持がなくなったり、自由落下に近い速度で防水板１が降下することを意味する。図８（Ａ）は図１に示したように、防水板１がワイヤロープ１７により支持されてガイドレール2 の上端部に保持された状態である。
【００３６】
防水板１の落下の際には、図８（Ａ），（Ｂ）に矢印４４，４５で示すように、防水板１は落下する。この落下により、通常降下の場合と同様に、図８（Ｂ）に示すように、突起３０がフックの当接部３３ｂに当接してフック３３を軸３４を中心として矢印４６に示すように回動させる。この回動により、フック３３はガイドレール２側の面２ｙから離れ、フック３３の係止部３３ｄは防水板１の下端部である摺動部７ａの下端部７ｃの下に潜るように変位する。その後、突起３０が当接部３３ｂから離れた後、フック３３の自重によって原姿勢側に復帰しようとするが、防水板１の落下速度が通常降下の場合より速いために、摺動部７ａの下端部７ｃがフック３３の係止部３３ｄに達して摺動部７ａ（防水板１）がフック３３により係止され、防水板１の落下が防止される。
【００３７】
このように、本実施の形態においては、フック３３の自重を用いてフック３３を原位置に復帰させるため、ばねが不要となり、長期にわたり落下防止動作が確保される。また、特許文献３に記載のように、シャッターカーテン（降下対象物）の降下の加速度でストッパ片の回動角を変更するのではなく、通常降下と落下のいずれの場合も突起３０とフック３３との当接の際にフック３３の回動を同じ角度で行なわせているため、フック３３の回動角度そのものに変化を持たせる必要はなく、フック３３の回動範囲を小さくすることができる。このため、防水板１の落下の際にフック３３が迅速に反応し、防水板１の落下を開始してから停止するまでの上下幅を小さくすることができる。
【００３８】
本実施の形態においては、防水板１をガイドレール２の上端部に保持した状態において、突起３０よりもフック３３を下に位置させ、フック３３の当接部３３ｂが突起３０に接触しないような位置関係とした。しかしながら、本発明を実施する場合、防水板１をガイドレール２の上端部に保持した状態において、図６に示す突起３０のコーナー部３０ａに当接部３３ｂを当接させた状態とするか、あるいは図７（Ｂ）に示すように、突起３０の縦面とフック３３の当接部３３ｂとを当接させた状態とする位置関係としてもよい。そのように構成する場合にも、通常操作による降下時と、落下時の速度の差を用いて、図７、図８について説明したように、落下時のみ、フック３３による防水板１の落下を防止する動作を行なわせることができる。
【００３９】
図９は防水板１側に設ける突起の他の例を示す図であり、図９（Ａ）は摺動部７ａにねじ等の固定具５１による突起５０の形状を、側面視が弧状をなすように形成したものである。図９（Ｂ）の例は、突起５２の下部５２ａを傾斜面とし、中間部５２ｂを縦面７ｂと平行をなす平面状とし、上部５２ｃを中間部５２ｂに対して略直角をなす形状に形成したものである。
【００４０】
図１０はワイヤロープ１７による防水板１の支持機構の他の例を示す図であり、ワイヤロープ１７の先端の接続部、すなわち図１、図４に示した管体２１を接続した側のガイドレール２の反対側のガイドレール２の頂部を拡大して示す。図１０（Ａ）は防水板１の取付け初期状態、図１０（Ｂ）は防水板１を設置した後、期間が経過した状態を示す。これらの図において、５４は弾性部材であり、滑車２５に掛けたワイヤロープ１７の先端と、結合具２６との間に設けたものである。
なお、弾性部材は伸縮可能な部材であれば良く、引張ばね、ゴム等の部材が考えられる。
【００４１】
この構成において、防水板１をガイドレール２に装着した取付け初期状態においては、図１に示したように、防水板１をガイドレール２の上端部に引き上げた状態から、オペレータ１６のハンドル１８を回動させてさらにドラムに巻取る。これにより、図１０（Ａ）に示すように、ワイヤロープ１７は矢印５５に示す方向に引っ張られ、弾性部材５４は引き延ばされる。
【００４２】
その後、防水板を上端部で継続して保持した場合において期間の経過によりワイヤロープ１７が緩んだ場合には、図１０（Ｂ）に示すように、弾性部材５４の張力によりワイヤロープ１７が矢印５６に示すように滑車２５側に引き戻され、弾性部材５４は初期状態の長さＬ１からＬ２に縮む。これにより防水板１の高さは初期状態に保たれる。
【００４３】
このように、図１０の例においては、ワイヤロープ１７が緩んだ場合でも防水板１の降下を防止することができるため、突起３０とフック３３との相対的位置関係を維持することができる。このため、突起３０とフック３３との上下間の距離を短く設定しておくことができ、防水板１が落下する際の落下幅を小さく抑えることができ、即応性をさらに高めることができる。
【００４４】
以上本発明を実施の形態により説明したが、本発明を実施する場合、突起３０を設ける縦面７ｂは摺動部７ａの室外側や側面としてもよく、フック３３は、それらの面に対向するように、ガイド溝２ａ内に設けてもよい。その他、本発明を実施する場合、本発明の要旨を逸脱しない範囲において、構成部材やその組み合わせについて、種々の変更、付加が可能である。
【符号の説明】
【００４５】
１  防水板
２  ガイドレール
２ａ  ガイド溝
５  開口部
７  縦框
７ａ  摺動部
７ｂ  縦面
１６  オペレータ
１７  ワイヤロープ
１８  ハンドル
１９  スイッチ
２１  管体
２２，２６  結合具
２４，２５  滑車
３０，５０，５２  突起
３３  フック
３３ｂ  当接部
３３ｄ  係止部
３３ｅ  背面部
３４  軸
５４  弾性部材
【図１】
2015227570.tif 000003
【図２】
2015227570.tif 000004
【図３】
2015227570.tif 000005
【図４】
2015227570.tif 000006
【図５】
2015227570.tif 000007
【図６】
2015227570.tif 000008
【図７】
2015227570.tif 000009
【図８】
2015227570.tif 000010
【図９】
2015227570.tif 000011
【図１０】
2015227570.tif 000012